(57)【要約】【課題】画像形成装置のコンパクト化を図ること。【解決手段】現像剤容器を画像形成装置本体に非装着時には、ハンドルとシャッターは、規制部による規制と前記係合部と被係合部による係合によって相互に位置関係を規制し合い、現像剤容器を画像形成装置本体装着の際には、現像剤容器の装着動作に伴って、突き当て部が画像形成装置本体に設けられた係合解除部へ突き当たり弾性変形し、前記ハンドルと前記シャッターの前記係合が解除されることによって、前記ハンドルと前記シャッターの各々が前記規制部によって規制される方向とは逆方向に変位可能となるよう構成する。【選択図】図１
2006267607.tif 000002
【特許請求の範囲】
【請求項１】
画像形成装置本体に装脱着可能な現像剤補給容器（以下、現像剤容器）であって、前記現像剤容器は、現像剤を収容する現像剤収容部と、収容された現像剤を補給するために前記現像剤収容部に設けられた開口部と、前記開口部を開閉するシャッターと、前記現像剤収容部に回動可能に取り付けられたハンドルとを有し、前記ハンドルを回転させることで画像形成装置本体に設けられた駆動伝達部材を介して前記シャッターを前記補給口の開閉方向に変位可能に構成する前記現像剤容器において、
前記ハンドルは前記シャッターと係合可能な係合部と、前記係合部近傍に弾性変形可能な突き当て部を、前記シャッターは前記ハンドルの前記係合部に対応する被係合部を有し、前記現像剤収容部は、前記ハンドルの前記係合部と前記シャッターの前記被係合部が係合可能な位置（初期位置）において、前記シャッターと前記ハンドル各々の一方向の変位を規制する「規制部」を有し、前記現像剤容器を画像形成装置本体に非装着時には、前記ハンドルと前記シャッターは、前記規制部による規制と前記係合部と被係合部による係合によって相互に位置関係を規制し合い、前記現像剤容器を画像形成装置本体装着の際には、前記現像剤容器の装着動作に伴って、前記突き当て部が画像形成装置本体に設けられた係合解除部へ突き当たり弾性変形し、前記ハンドルと前記シャッターの前記係合が解除されることによって、前記ハンドルと前記シャッターの各々が前記規制部によって規制される方向とは逆方向に変位可能となることを特徴とする現像剤容器。
【請求項２】
前記ハンドルには、画像形成装置本体の前記駆動伝達部材に回転駆動伝達可能な駆動伝達ギア部を有することを特徴とする請求項１記載の現像剤容器。
【請求項３】
前記シャッターには、画像形成装置本体の前記駆動伝達部材から回転駆動伝達可能な駆動受けギア部を有することを特徴とする請求項１記載の現像剤容器。
【請求項４】
画像形成装置から脱着する際には、前記ハンドルに設けられた前記突き当て部と画像形成装置本体に設けられた前記係合解除部との突き当て関係が解除されることによって前記係合部と前記被係合部は再び係合関係を形成し、前記ハンドルと前記シャッターが前記係合関係と前記現像剤収容部が有する前記規制部によって、相互に位置関係を再び規制し合うことを特徴とする請求項１記載の現像剤容器。
【発明の詳細な説明】
【技術分野】
【０００１】
本発明は、電子写真方式を用いて画像を形成する、例えば、電子写真複写機、電子写真プリンタ（例えば、レーザ―ビームプリンタ、ＬＥＤプリンタ等）、ファクシミリ装置、ワードプロセッサ等に着脱可能に設けられた現像剤を補給する現像剤容器に関するものである。
【背景技術】
【０００２】
電子写真複写機やレーザービームプリンター等の電子写真画像形成装置は、一様に帯電させた感光体ドラムに選択的な露光を行う。そして、静電潜像を形成する。次に、その静電潜像を現像剤で現像して像を形成する。その後、該像を記録媒体に転写して画像記録を行う。このような装置にあっては、現像剤が無くなる度に現像剤を補給しなければならない。
【０００３】
ここで、画像形成装置に現像剤を補給するための現像剤容器は、収納した現像剤を画像形成装置本体の現像剤受け入れ容器に一度に全量補給する所謂補給型容器と、画像形成装置本体に容器を装着後、そのまま該容器を据え置く所謂据え置き型容器とに大別される。ここで、据え置き型容器は現像剤を使い切るまで徐々に現像装置に現像剤を補給する。
【０００４】
近年、現像剤容器は据え置き型が使用される傾向にある。前記据え置き型容器においては、徐々に現像装置に現像剤を補給させるため、前記容器内に撹拌部材を設け、画像形成装置本体側の駆動を受け、前記撹拌部材を回転させることで、現像剤を現像装置に補給する構成がある。
【０００５】
又、別の構成としては、前記現像剤容器内部に直線状又は螺旋状の突起を一体的に設け、画像形成装置本体側の駆動を受け、前記現像剤容器自体を回転させることで現像剤を現像装置へ補給する構成がある。これらの現像剤容器には現像剤を画像形成装置本体に補給するための補給口が設けられており、更に現像剤容器を交換する際に、容器内に残留する現像剤が補給口から飛散するのを防止するために、該補給口を封止するための開閉部材（以下、シャッター）を設けている。
【０００６】
ここで、前記シャッターを開閉する方法の一例として、現像剤容器の容器本体に回転部材（以下、ハンドル）を回転自在に嵌合し、前記現像剤容器を画像形成装置に装着し、前記ハンドルをオペレーターが回転させると、前記ハンドルの回転駆動力が画像形成装置本体の駆動伝達部材（駆動伝達ギア）を介して前記シャッターに駆動伝達させ、前記シャッターを前記補給口の開閉方向にスライド自在に開閉させる方法が提案されている。
【０００７】
又、ここで示した駆動の伝達は全てギアを用いている（特許文献１，２参照）。
【０００８】
更に、前記ハンドルと前記シャッターとは、画像形成装置本体に据え付けられた駆動伝達部材を介して駆動を伝達されるように連結されていることから、画像形成装置本体に装着された状態ではハンドルとシャッターとの回動関係位置は前記駆動伝達部材を介して拘束されている。
【０００９】
又、画像形成装置本体から脱着するとハンドルとシャッターは上記駆動伝達部材との拘束を解かれ、各々が自在に回転、スライド可能となる。この構成において、該本体側に据え付けられた駆動伝達部材に駆動を伝達する前記ハンドルに設けられた駆動伝達ギア部や前記本体側に別途設けられた駆動伝達部材から駆動を受ける。前記ハンドルに設けられた駆動受けギア部は、省スペース化のために全周には歯が設けられておらず、前記補給口を開閉するに必要なスライド量を維持できる最小限の歯数を有するセグメント（弓形）ギアとなっている。
【００１０】
そのため、前記ハンドルの駆動伝達ギア部を画像形成装置本体の駆動伝達ギアに係合させ、ハンドルの限られた範囲の回転によって前記シャッターを開閉させ、前記補給口を開封・封止させるためには、ハンドルの駆動伝達ギア部と画像形成装置本体に設けられた第１の駆動伝達ギア、画像形成装置本体に設けられた第２の駆動伝達ギアとシャッターに設けられた駆動受けギア部との位置関係を画像形成装置本体に装着していない状態においても規制することが重要である。
【００１１】
そこで、現像剤補給時以外のハンドル、シャッターをユーザーが誤って回転若しくは補給口の開方向へスライドさせてしまうことを防ぐ、即ち、各々の位置関係のズレることを防ぐためにはロック手段を設ける必要がある。
【００１２】
ここで、前記ハンドル、前記シャッターを有する現像剤容器において、前記現像剤容器非装着時は前記ハンドルを回転不可とするロック手段を有する現像剤容器及びこの現像剤容器が装着されるとロック手段を解除できる電子写真画像形成装置及びロック手段を構成するロック部材が提案されている（特許文献１）。
【００１３】
又、前記シャッターを予め現像剤容器に前記補給口の開閉方向にスライド不可にロックし、前記ハンドルを前記シャッターに係合させることによりハンドルを回動不可に規制し、画像形成装置本体に装着時に前記シャッターを開閉方向と異なる方向にスライドさせることで、前記シャッターを補給口の開閉方向にスライド可能にさせると共に、前記ハンドルと前記シャッターの前記係合関係が解除されるため、前記ハンドルが回動可能になる構成が提案されている（特許文献２）。
【００１４】
【特許文献１】特開２０００−２７５９４４号公報
【特許文献２】特開２００４−１０１７８９号公報
【発明の開示】
【発明が解決しようとする課題】
【００１５】
しかしながら、前記従来例においては以下に示すような問題がある。
【００１６】
即ち、特許文献２に開示されている現像剤容器の場合には、容器の装着方向に往復運動自在のリング状のロック部材を設け、これをロック方向（装着方向）に付勢してロックしておき、画像形成装置に装着する動作によって前記リング状のロック部材をロック解除方向に付勢力に抗して移動することでロックを解除していた。
【００１７】
このような構成においては、現像剤容器本体と、シャッター、ハンドルの他にロック部材が別部材として存在しており、部品点数が多いために組み立て工数が余計に掛かり、製造コストが高くなるという問題があった。そして、製造工程においては、ロック部材を組み忘れることも稀にあり、このため、ロック部材の有無を検査する工程も必要になっていた。
【００１８】
リング状のロック部材は、ハンドルに内装されるように構成していたが、それでも装着方向へ移動する部分も含めてスペースが必要であり、現像剤容器、延てはこれを装着する画像形成装置のコンパクト化を図る上で不利になっていた。
【００１９】
更に、リング状のロック部材を安定して移動させるため、ロック解除部をハンドルの周方向に対して複数設け、ロック部材が装着方向に相対移動する際に偏荷重を少なくなるようにしていた。ロック解除部が１箇所のみでは、ロック部材が斜めに傾いて移動できなくなるという不具合が発生する場合もあった。
【００２０】
このようにロック解除部を複数設けると、画像形成装置側にもこれに対応してロック解除部を誘うための係合部を複数設ける必要がある。これも画像形成装置のコンパクト化にとって不利になる場合がある。
【００２１】
又、特許文献２に開示されている現像剤容器においては、図１４に示すように補給口の開閉方向（第１の方向）と異なる方向（第２の方向）にシャッター４１の開閉方向スライドを規制するロック部４６が現像剤容器、前記ロック部４６に対応する被ロック部４７がシャッター４１に設けられている。
【００２２】
画像形成装置本体に非装着時には、シャッター４１が図１４（ａ）に示すように開閉方向にスライド不可にロックされている（ロック部係合量λ）。その際、図１５（ａ）に示すように、シャッター４１に設けられたロック部４３がハンドル４５のロック部４４と係合し、画像形成装置本体に非装着時にはハンドル４５も回転不可となる。
【００２３】
画像形成装置本体に装着時に、図１４（ｂ）に示すように、第２の方向にシャッター４１をロック部係合量λよりも十分多い量σだけスライドさせることによりロックが解除され、図１４（ｃ）に示すように、シャッター４１を開閉方向（第１の方向）にスライド可能になる。
【００２４】
更に、図１５（ｂ）に示すようにシャッター４１を開閉方向と異なる方向（第２の方向）へスライドさせると、ハンドル４５とシャッター４１とのロックが解除され、ハンドル４５が回転可能になる構成である。この構成においては、シャッター４１のロック解除及びハンドル４５のロック解除を行うために、シャッター４１を開閉方向とは異なる方向（第２の方向）にλ以上スライドさせることが必須である。そのため、シャッター４１を開閉方向（第１の方向）にスライドさせるためのガイドレール４２に、シャッター４１が開閉方向とは異なる方向（第２の方向）にスライド自在なロック解除に必要な十分なスペースσ（σ＞λ）を設ける必要があった。
【００２５】
しかしながら、このスペースを設けるとシャッター４１が開閉方向（第１の方向）にスライドする際、ガイドレール４２に対して平行にガイドされにくくなる。つまり、シャッター４１が開閉方向（第１の方向）にスライドする際に、シャッターがガイドレールに対して傾いてスライドするヨーイングを引き起こす懸念があり、それによってユーザーがシャッター４１を開閉する際の操作力の増加や、確実な開閉操作を行うに不利になる恐れがあった。
【００２６】
又、この構成においては、現像剤容器を交換する際に、前記ハンドル４５と前記シャッター４１を再ロックするためには、シャッター４１を開閉方向（第１の方向）にスライド不可の位置まで、即ち図１４（ａ）の位置まで戻す必要がある。その構成として、シャッター４１に第２の方向へ戻すための突起を設けることが提案されているが、突起によってシャッター４１がハンドル４５を再ロックする位置に戻す際に、ガイドレール４２に対して斜めのスライドを伴うため、シャッター４１の開閉操作力の増加やシャッター４１の開閉操作が不安的になることが懸念された。
【００２７】
本発明は以上の問題点に鑑みてなされたものであり、その第１の目的は、現像剤容器を画像形成装置本体に非装着時において、前記ハンドルと前記シャッターの相互の位置関係を確実に規制するより簡易な機構を設けることであり、前記シャッターの開閉方向と異なる方向（第２の方向）の前記ロック解除に必要なスペースσが不要になることで、画像形成装置のコンパクト化を図ることにある。
【００２８】
又、本発明の第２の目的は、シャッターが開閉方向（第１の方向）にスライドする際のヨーイングを最小限に制御することで、ユーザーがシャッターの開閉動作を行う際の操作力を低減させることにある。
【００２９】
更に、本発明の第３の目的は、現像剤容器を非装着の際にハンドルとシャッターの位置関係を相互に規制し合うことによって、ハンドルに設けられた弾性変形部を操作しながらシャッターを操作しない限り、つまり各々単独では位置がズレないようにすることで、ユーザーがシャッターを誤開封することを防ぐことにある。
【００３０】
又、本発明の第４の目的は、ユーザーが現像剤容器を脱着する際に、ハンドルに設けられたシャッターとの係合部が弾性変形部となっているため、ハンドルが元の位置（非装着時）に確実に戻れば、ハンドルとシャッターは確実に再ロックされるので、使用済みの現像剤容器を処分する時等にユーザーが誤ってシャッターを開封してしまい、現像剤容器の中に残存した現像剤の漏れによって手や衣服等が汚れることを防ぐことにある。
【課題を解決するための手段】
【００３１】
上記目的を達成するため、本発明は、画像形成装置本体に装脱着可能な現像剤補給容器（以下、現像剤容器）であって、前記現像剤容器は、現像剤を収容する現像剤収容部と、収容された現像剤を補給するために前記現像剤収容部に設けられた開口部と、前記開口部を開閉するシャッターと、前記現像剤収容部に回動可能に取り付けられたハンドルとを有し、前記ハンドルを回転させることで画像形成装置本体に設けられた駆動伝達部材を介して前記シャッターを前記補給口の開閉方向に変位可能に構成する前記現像剤容器において、前記ハンドルは前記シャッターと係合可能な係合部と、前記係合部近傍に弾性変形可能な突き当て部を、前記シャッターは前記ハンドルの前記係合部に対応する被係合部を有し、前記現像剤収容部は、前記ハンドルの前記係合部と前記シャッターの前記被係合部が係合可能な位置（初期位置）において、前記シャッターと前記ハンドル各々の一方向の変位を規制する「規制部」を有し、前記現像剤容器を画像形成装置本体に非装着時には、前記ハンドルと前記シャッターは、前記規制部による規制と前記係合部と被係合部による係合によって相互に位置関係を規制し合い、前記現像剤容器を画像形成装置本体装着の際には、前記現像剤容器の装着動作に伴って、前記突き当て部が画像形成装置本体に設けられた係合解除部へ突き当たり弾性変形し、前記ハンドルと前記シャッターの前記係合が解除されることによって、前記ハンドルと前記シャッターの各々が前記規制部によって規制される方向とは逆方向に変位可能となることを特徴とする。
【発明の効果】
【００３２】
本発明によれば、現像剤容器において画像形成装置非装着時にはハンドルとシャッターを複雑な構成を用いることなく少なくとも１箇所以上で係合させることによって、確実にハンドルを回転方向にロック、シャッターを開閉方向にスライド不可にロックできる。
【００３３】
又、シャッターのロックとハンドルロックとを一体化することによって、従来までの現像剤容器が有する、別途のシャッターのロックを設ける必要がなくなり、それに伴って前記ロック解除に必要なガイドのスペースを設ける必要がないため、シャッターを確実に開閉方向にスライドさせることができ、ユーザーが現像剤交換を行う際のハンドル操作力を積極的に低減させることができる。
【００３４】
更に、シャッターロックとハンドルロックとを一体化することで、ハンドルロックが解除されない限りシャッターロックが解除されないため、現像剤容器脱着の際にユーザーが誤ってシャッターを開封することを積極的に防ぐことができる。又、画像形成装置本体に装着する際にシャッターロック解除とハンドルロック解除を１箇所で行えるため、本体側のロック解除部を各々設ける必要がなくなり、画像形成装置本体のコンパクト化にも寄与できる。
【発明を実施するための最良の形態】
【００３５】
以下、本発明を画像形成装置である電子写真複写機に用いられる現像剤容器及び前記現像剤容器を装着する現像剤補給装置の関係について説明する。
【００３６】
［画像形成装置］
先ず、図１を用いて画像形成装置の概略を説明する。
【００３７】
リーダ部において読取られた画像情報は、レーザー出力部にて各色毎（各色ステーション毎）に光信号（レーザー光）に変換されてポリゴンミラーで反射され、レンズ及び折り返しミラーを経て感光ドラム１の面に露光される。
【００３８】
感光ドラム１の周りには、帯電器、現像ロータリー４内に構成された各々の現像器（５ａ，５ｂ，５ｃ，５ｄ）、クリーニング装置が配置され、感光ドラム１上の露光は現像ロータリー４を回転させて現像器をその都度切り替える行程を必要色の分繰り返すことで各色現像し、その都度中間転写ベルト６上に転写し、必要色を中間転写ベルト６上に画像を重ね合わせた後、用紙への転写部８に搬送される。
【００３９】
用紙は、カセット１０ａ，１０ｂ，１０ｃ或はマルチ手差し１１より繰り出し、搬送され、レジストローラ７で斜行補正及びタイミング取りを行った後、画像転写部８に向けて搬送される。
【００４０】
画像転写部を抜けた用紙は、定着部９にて現像剤を熱定着し、排出或は両面画像形成行程に向かう。
【００４１】
ここで、現像器５内の現像剤は、ホッパー３内に収められた現像剤容器２ａ，２ｂ，２ｃ，２ｄよりそれぞれの必要量だけ、現像ロータリー４にて現像位置に回転して来た現像器５に補給される。
【００４２】
このとき、現像ロータリー、つまり回転式現像構成であることから、現像位置（或は何れか特定の位置）の姿勢でしか現像剤を受け取ることができない構成であるため、現像器及び現像ロータリーへの現像剤の受け渡しは、図２で示されるような、現像ロータリー手前側に色数の分、奥・手前方向に区切られ固定された現像剤供給部１５を介して、現像器に送られる構成となっている。
【００４３】
次に、現像剤容器２から現像剤供給部１５までの現像剤補給の概略について、図２（ａ）を用いて説明する。尚、図２（ａ）はホッパー３と現像剤供給部１５の正面図である。
【００４４】
ホッパー３は、現像剤供給部１５の上方且つ画像形成装置の手前側に設けられており、現像剤容器２、現像剤補給部１３、補給パイプ１４から構成されている。
【００４５】
現像剤容器（２ａ〜２ｄ）内に入っている現像剤は、現像剤補給部（１３ａ〜１３ｄ）へと現像剤を搬送する
現像剤補給部（１３ａ〜１３ｄ）は、一定量の現像剤を蓄えており、画像形成装置から現像剤補給信号を受け取った際に、上記現像位置に現像ロータリー４が停止している間、所定量だけ現像剤補給部１３内の補給口から補給パイプ１４へと現像剤を排出する。
【００４６】
補給パイプ１４は、現像剤補給部１３と同一駆動により駆動されており、上記現像剤補給部１３から現像剤を受け取ると共に、現像剤供給部１５へと現像剤を排出する。
【００４７】
現像剤供給部１５は、現像ロータリー４の手前側に設けられ、図２（ｂ）に示すように、奥・手前方向に区切られた４つの補給口（１２ａ１２ｄ）を有しており、各補給口は、現像ロータリー４内に設けられたぞれぞれの現像器５に連通している。
【００４８】
本実施の形態において、補給口１２は、画像形成装置奥側から順に、イエロー１２ａ、マゼンタ１２ｂ、シアン１２ｃ、ブラック１２ｄという配置になっている。
【００４９】
又、現像器５は、回転現像方式であることから、現像位置（或は何れか特定の１位置）の姿勢でしか現像剤を受け取ることができない。そのため、上記補給動作は、各色ごとに現像ロータリー４が回転して順次動作を繰り返していく。
【００５０】
［現像剤補給装置及び現像剤容器］
次に、本発明における現像剤容器及び現像剤補給装置の実施形態の詳細について説明する。
【００５１】
本発明における現像剤容器２の概略構成を図３に示す。
【００５２】
現像剤容器２は、内部に不図示の現像剤が充填された現像剤収容部１６と、前記現像剤収容部１６から現像剤を本体へ補給するための補給口１７が設けられている。又、前記補給口１７へ現像剤を搬送する不図示の撹拌部材を有し、前記現像剤収容部１６に回転可能に嵌合されたハンドル１８と前記補給口１７を開閉方向にスライド自在なシャッター１９から成る。
【００５３】
次に、図４に現像剤収容部１６の詳細を示す。
【００５４】
現像剤収容部１６は、ハンドル１８の嵌合部２５が設けられており、前記嵌合部２５にはハンドル１８の回転量を規制する回転量規制部２９が設けられている。又、前記補給口近傍の湾曲部にはシャッター１９の補給口開閉方向のスライドをガイドするためのガイドレール２６が設けられている。
【００５５】
続いて、図５に前記ハンドル１８の詳細を示す。
【００５６】
ハンドル１８は、ユーザーが回転力を加える操作ノブ２０と、図６に示すシャッター１９に設けられた被係合部２１と現像剤容器２が組み立てられた時に係合可能な係合部２２、又、前記回転力を図１１に示す本体側現像剤容器装着部３２（以下、容器装着部）に設けられた第１の駆動伝達ギア３１ａに伝達するセグメント形状の駆動伝達ギア部２３が設けられている。又、前記現像剤収容部１６に設けられた回転量規制部２９に係合可能な突き当てリブ３０が設けられている。
【００５７】
次に、図６に前記シャッターの詳細を示す。
【００５８】
シャッター１９は、現像剤収容部１６のシャッター取り付け面と同様の湾曲した形状をしており、図１１に示す容器装着部３２に設けられた第２の駆動伝達ギア３１ｂから駆動を受ける駆動受けギア部２４と、図５に示したハンドル１８の係合部２２と係合可能な被係合部２１が設けられている。又、シャッター１９を補給口１７の開閉方向にスライドさせるために必要なガイドリブ２７が設けられている。
【００５９】
続いて、現像剤容器２における現像剤収容部１６とハンドル１８の詳細な関係について図７に示す。
【００６０】
ハンドル１８は、現像剤容器２の組み立て後、現像剤収容部１６の嵌合部２５に嵌合されており、嵌合部中心を軸としてａ方向に回転自在となっている。又、ハンドル１８は、現像剤収容部１６に設けられた前記嵌合部２５内の回転量規制部２９と、図５に示したハンドル１８に設けられた規制リブ３０と係合関係にある。そのため、現像剤容器２の組み立て後、ハンドル１８は、予め図８（ａ）…（Ｘ）から図８（ｂ）…（Ｙ）の範囲の回転量（シャッター１９が補給口１７を開閉するに十分な回転量であって、本実施の形態では約９０°）に規制されている。
【００６１】
次に、現像剤容器２における現像剤収容部１６とシャッター１９の詳細な関係について図９に示す。
【００６２】
シャッター１９は、現像剤収容部１６に設けられたガイドレール２６とシャッター１９に設けられたガイドリブ２７によって、前記補給口１７を図１０に示すようにｂ１又はｂ２方向に開閉自在にスライド可能である。但し、シャッター１９は、ガイドレール２６に突き当て部２８があることから突き当て部よりもｂ１方向側には予めスライド不可となっているため、図８（ｃ）…Ｘから図８（ｄ）…Ｙの範囲のスライド量に規制されている。  
続いて、本発明における現像剤容器２と容器装着部３２との関係について図１１を用いて説明する。
【００６３】
本実施の形態での現像剤容器２を用いて現像剤を画像形成装置に供給するには、図１１に示すように、現像剤容器２を容器装着部３２にＡ方向へ装着後、ハンドル１８をａ１方向に回転させ、得られた回転力をハンドル１８に設けられた駆動伝達ギア部２３から容器装着部３２に設けられた第１の駆動伝達ギア３１ａに伝達し、第１の駆動伝達ギア３１ａと第２の駆動伝達ギア３１ｂが連結しているため、第２の駆動伝達ギア３１ｂを介して、シャッター１９の駆動受けギア部２４に駆動が伝達されシャッター１９をｂ２方向にスライドさせることができ、補給口１７を開封することができる（補給口を閉じる場合はハンドルがａ２方向、シャッターがｂ１方向へスライド）。
【００６４】
ここで、現像剤容器２が容器装着部３２に非装着時に、ハンドル１８がａ方向に回転自在であり、シャッター１９が補給口１７の開閉方向（ｂ１又はｂ２方向）に自在にスライド可能であると、先に示したハンドル１８に設けられた駆動伝達ギア部２３と第１の駆動伝達ギア３１ａ、シャッター１９に設けられた駆動受けギア部２４と第２の駆動伝達ギア３１ｂとの位置関係のズレを起こす恐れがある。
【００６５】
仮に前記したズレが起こると、ハンドル１８とシャッター１９に設けられた駆動ギア部は補給口を開閉するに必要最低限の歯数を有するセグメントギアであるため、シャッター１９を補給口１７が十分に開くまでスライドさせることができなくなり、補給口１７を完全に開くことができない。その結果、画像形成装置本体が所望とする現像剤補給量を十分に補給できなくなり、画像の欠陥に影響を及ぼす等の問題が生ずる恐れがある。そのため、確実に補給口１７を開閉するためには、現像剤容器２を容器装着部３２に装着する際に、ハンドル１８とシャッター１９と容器装着部３２の駆動伝達ギア３１との位置関係を、ほぼ一定の位置関係に保つ必要があり、現像剤容器非装着時において、ハンドル１８のａ方向（ａ１又はａ２）回転を規制、シャッター１９のｂ方向（ｂ１はｂ２）のスライドを規制しなければならない。
【００６６】
次に、本発明におけるハンドル１８とシャッター１９の非装着時における回転及びスライドを規制する機構について図１２を用いて説明する。
【００６７】
図１２に示すように、現像剤容器２が容器装着部３２に非装着時において、ハンドル１８に設けられた係合部２２とシャッター１９に設けられた係合突起部２１が係合関係にあり、ハンドル１８をａ１方向に回転させようとすると、前記係合部２２から前記被係合部21を介してシャッター１９にｂ１方向に力が働く。ここで、シャッター１９は、先に示したように予めＸの位置よりもガイドレール２６の突き当て部２８によって、ｂ１方向にはスライド不可となっているため、ハンドル１８のａ１方向の回転を規制する働きを行う。
【００６８】
又、更にシャッター１９がｂ２方向にスライドしようとすると、今度は逆にハンドル１８が現像剤収容部１６のハンドル嵌め合い部２５に設けられた回転量規制部２９によって、予めａ２方向には回転不可に規制されているため、前記被係合部２１と前記係合部２２を介してシャッター１９のｂ２方向へのスライドを規制する。即ち、現像剤容器２が非装着時において、ハンドル１８の係合部２２とシャッター１９の被係合部２１を介して、ハンドル１８はＸの位置よりもａ１方向に回転不可、シャッター１９はＸの位置よりもｂ２方向にスライド不可となっており、ハンドル１８とシャッター１９は相互の初期位置（補給口閉の位置…Ｘ：図８参照）を規制し合う。
【００６９】
又、現像剤容器２をＡ方向から容器装着部32に装着する際の一連の流れを図１３（装着操作は（ａ）→（ｂ）→（ｃ），（ｄ）の順）に示す。容器装着部３２に設けられたロック解除突起３３がハンドル１８の突き当て部３４に突き当たり、ハンドル１８に設けられた係合部２２付近がｃ方向に弾性変形し、シャッター１９に設けられた被係合部２１との係合関係が解除されるため、ハンドル１８がａ１方向に回転可能、シャッター１９がそれに伴ってｂ２方向にスライド可能となり、容器装着部３２の第２の駆動伝達ギア３１ｂから駆動を受け、補給口１７が開封され、現像剤を画像形成装置本体へ供給することが可能となる。
【００７０】
又、現像剤容器２を交換する際に、シャッター１９の閉操作を行うためにハンドル１８をＹの位置からａ２方向へ回転させると、シャッター１９が元の位置（Ｘの位置）に戻り、容器装着部３２から現像剤容器２を引き抜くと、容器装着部３２に設けられたのロック解除突起３３とハンドル１８の突き当て部３４の突き当て関係が解除されることによって前記突き当て部が弾性力によって付勢され元の位置に戻るため、ハンドル１８に設けられた係合部２２と再びシャッター１９の被係合部２１との係合関係が形成され、ハンドル１８とシャッター１９は移動不可に再ロックし、相互に位置を規制し合う。従って、現像剤容器交換後にユーザーが誤ってシャッター１９に触れた際にも該シャッター１９が開閉方向にスライド不可となり、補給口１７が確実に閉状態となっているため、内部に残存した現像剤によってユーザーが手や衣服を汚すことを未然に防ぐことができる。
【００７１】
以上説明したように本構成の現像剤補給容器２においては、簡単な構成によってハンドル１８とシャッター１９の非装着時の位置関係を相互に規制することができると共に、現像剤補給口１７の開閉操作をユーザーに行わせる際の操作力の低減や、誤操作による補給口１７の誤開封を未然に防ぐことができ、現像剤漏れによる汚れ等の課題を積極的に防ぐことができる。
【００７２】
又、現像剤容器交換の際に、補給口１７の閉操作を行えば、自ずとハンドル１８とシャッター１９が確実に元の位置に戻り、ハンドル１８に設けられたシャッター１９との係合部は弾性変形部であるため、確実に再ロックされる。そのため、補給口１７は、シャッター１９によって確実に封止されているため、現像剤容器２内に残存した現像剤が漏れる懸念がなく、ユーザーの手や衣服を汚す心配をなくすことができる。
【図面の簡単な説明】
【００７３】
【図１】画像形成装置本体の概略図である。
【図２】ホッパーの概略図である。
【図３】現像剤補給容器（現像剤容器）の概略図である。
【図４】現像剤収容部の詳細図（（ａ）斜視図、（ｂ）側面図）である。
【図５】ハンドルの詳細図（（ａ）正面斜視図、（ｂ）裏面斜視図）である。
【図６】シャッター詳細図（（ａ）正面斜視図、（ｂ）裏面斜視図）である。
【図７】ハンドル取り付け図（（ａ）取り付け部断面図、（ｂ）ハンドル）である。
【図８】現像剤容器補給口の開閉状態におけるハンドルとシャッターを示す図である。
【図９】シャッター取り付け図（（ａ）現像剤容器略図、（ｂ）シャッター取り付け部断面図）である。
【図１０】シャッター取り付け図（（ａ）現像剤容器略図、（ｂ）シャッター取り付け部断面図）である。
【図１１】現像剤容器装着図（（ａ）装着部と現像剤容器、（ｂ）駆動伝達関係）である。
【図１２】ハンドルとシャッターのロック機構（（ａ）画像形成装置非装着時におけるハンドルとシャッターとの関係、（ｂ）画像形成装置本体装着時におけるハンドルとシャッターとの関係）を示す図である。
【図１３】ハンドル・シャッターロック解除操作図（（ａ）容器装着部、（ｂ）現像剤容器装着方向、（ｃ）ロック解除状態図、（ｄ）ロック解除部詳細図）である。
【図１４】従来のシャッターロック機構の構成図である。
【図１５】従来のハンドルロック機構の構成図である。
【符号の説明】
【００７４】
１  感光ドラム
２  現像剤補給容器
３  ホッパー
４  現像ロータリー
５  現像器
６  中間転写ベルト
７  レジストローラ
８  転写部
９  定着器
１０  カセット
１１  マルチ手差し
１２  現像剤供給部
１３  現像剤補給部
１４  補給パイプ
１５  現像剤供給部
１６  現像剤収容部
１７  現像剤補給口
１８  ハンドル
１９  シャッター
２０  ノブ
２１  被係合部
２２  係合部
２３  駆動伝達ギア部
２４  駆動受けギア部
２５  ハンドル嵌合部
２６  ガイドレール
２７  ガイドリブ
２８  シャッター突き当て部
２９  回転量規制部
３０  規制リブ
３１  駆動伝達ギア
３２  本体側現像剤容器装着部（容器装着部）
３３  ロック解除突起
３４  突き当て部
４０  現像剤容器
４１  シャッター
４２  シャッターガイドレール
４３  ハンドルロック突起
４４  突起係合部
４５  ハンドル
４６  ロック部
４７  被ロック部
λ    ロック部係合量
σ    シャッターロック解除のために設けられたスペース
【図１】
2006267607.tif 000003
【図２】
2006267607.tif 000004
【図３】
2006267607.tif 000005
【図４】
2006267607.tif 000006
【図５】
2006267607.tif 000007
【図６】
2006267607.tif 000008
【図７】
2006267607.tif 000009
【図８】
2006267607.tif 000010
【図９】
2006267607.tif 000011
【図１０】
2006267607.tif 000012
【図１１】
2006267607.tif 000013
【図１２】
2006267607.tif 000014
【図１３】
2006267607.tif 000015
【図１４】
2006267607.tif 000016
【図１５】
2006267607.tif 000017